(57)【要約】【課題】ユーザが筆記具を用いて入力した情報を取得可能な電磁誘導方式の情報入力装置であって、筆記具の位置の検出精度を向上させた情報入力装置を提供すること。【解決手段】ユーザが筆記具を用いて入力した情報を取得可能な電磁誘導方式の情報入力装置において、筆記具が出力する出力信号を検出する処理が、複数の検出手段の各々で実行される（Ｓ３）。複数の検出手段の中から検出された出力信号の強度が最も強い検出手段が特定検出手段として特定される（Ｓ７）。特定検出手段以外の検出手段である非特定検出手段への電力の供給が停止される（Ｓ９又はＳ２１）。非特定検出手段への電力の供給を停止させた後に、特定検出手段において、筆記具から出力される信号を検出する処理が実行される（Ｓ１１又はＳ２３）。検出結果に基づき、筆記具の位置が特定される（Ｓ１３又はＳ２５）。【選択図】図３
2014096071.tif 000002
【特許請求の範囲】
【請求項１】
ユーザが筆記具を用いて入力した情報を取得可能な電磁誘導方式の情報入力装置であって、
前記筆記具から出力される出力信号に基づき、近接する前記筆記具の位置を検出し、検出結果を出力可能な複数の検出手段と、
前記出力信号を検出する処理を、前記複数の検出手段の各々で実行させる第一検出制御手段と、
前記第一検出制御手段の制御によって前記複数の検出手段の各々から出力された前記検出結果に基づき、前記複数の検出手段の中から検出された前記出力信号の強度が最も強い検出手段を特定検出手段として特定する検出手段特定手段と、
前記複数の検出手段のうち、前記検出手段特定手段によって特定された前記特定検出手段以外の検出手段である非特定検出手段への電力の供給を停止させる電力制御手段と、
前記電力制御手段が、前記非特定検出手段への電力の供給を停止させた後に、前記特定検出手段において、前記筆記具から出力される信号を検出する処理を実行させる第二検出制御手段と、
前記第二検出制御手段の制御によって前記特定検出手段から出力された前記検出結果に基づき、前記筆記具の位置を特定する位置特定手段と
を備えることを特徴とする情報入力装置。
【請求項２】
前記複数の検出手段の各々は、前記筆記具に対して入力信号を出力し、前記入力信号に応じて前記筆記具が出力する前記出力信号を検出することを特徴とする請求項１に記載の情報入力装置。
【請求項３】
前記第一検出制御手段は、前記出力信号を検出する処理を、前記複数の検出手段との各々で同時期に実行させることを特徴とする請求項１又は２に記載の情報入力装置。
【請求項４】
前記複数の検出手段の各々を個別に収容する複数の筐体をさらに備えることを特徴とする請求項１から３のいずれかに記載の情報入力装置。
【発明の詳細な説明】
【技術分野】
【０００１】
本発明は、ユーザが筆記具を用いて入力した情報を取得可能な電磁誘導方式の情報入力装置に関する。
【背景技術】
【０００２】
ユーザが筆記具を用いて手書きした内容に対応したデータを入力可能な装置が知られている（例えば、特許文献１参照）。特許文献１に記載の電子筆記装置は、電磁誘導方式のデジタイザであり、見開き状態に開閉可能な可塑性部材からなるシート体を有する。シート体は、互いに直交するＸ方向とＹ方向との各々に平行に配置されたループコイル群を備える。電子筆記装置は、シート体に設けられたループコイル群により筆記具の位置を検知する。シート体に重ねて配置された被筆記体にユーザが筆記具を用いて手書きすると、電子筆記装置は筆記具の移動軌跡を表すストロークデータを生成する。電子筆記装置は、生成されたストロークデータの時系列変化に基づき筆記方向を算出する。電子筆記装置は、使用開始時に、筆記方向に関する設定入力を受け付け、算出された筆記方向と、設定された筆記方向とに基づき決定されるシート体の一方の頁のみのスキャンを実行させる。
【先行技術文献】
【特許文献】
【０００３】
【特許文献１】特開２０１２−１４４１１号公報
【発明の開示】
【発明が解決しようとする課題】
【０００４】
上記電子筆記装置において、冊子状の記録媒体の見開き頁のうちの一方の頁に対応する第一検出手段が検出すべき磁界を、記録媒体の見開き頁の他方の頁に対応する第二検出手段が検出してしまい、筆記具の位置を正確に検出できない可能性がある。
【０００５】
本発明は、ユーザが筆記具を用いて入力した情報を取得可能な電磁誘導方式の情報入力装置であって、筆記具の位置の検出精度を向上させた情報入力装置を提供することを目的とする。
【課題を解決するための手段】
【０００６】
本発明の一態様に係る情報入力装置は、ユーザが筆記具を用いて入力した情報を取得可能な電磁誘導方式の情報入力装置であって、前記筆記具から出力される出力信号に基づき、近接する前記筆記具の位置を検出し、検出結果を出力可能な複数の検出手段と、前記出力信号を検出する処理を、前記複数の検出手段の各々で実行させる第一検出制御手段と、前記第一検出制御手段の制御によって前記複数の検出手段の各々から出力された前記検出結果に基づき、前記複数の検出手段の中から検出された前記出力信号の強度が最も強い検出手段を特定検出手段として特定する検出手段特定手段と、前記複数の検出手段のうち、前記検出手段特定手段によって特定された前記特定検出手段以外の検出手段である非特定検出手段への電力の供給を停止させる電力制御手段と、前記電力制御手段が、前記非特定検出手段への電力の供給を停止させた後に、前記特定検出手段において、前記筆記具から出力される信号を検出する処理を実行させる第二検出制御手段と、前記第二検出制御手段の制御によって前記特定検出手段から出力された前記検出結果に基づき、記筆記具の位置を特定する位置特定手段とを備える。
【０００７】
本態様の情報入力装置によれば、筆記具から出力される出力信号が検出された特定検出手段のみ電力を供給し、非特定検出手段に対する電力の供給を停止する。情報入力装置は、複数の検出手段の電源が常にオンになっている場合に比べ消費電力を低減することができる。また、非特定検出手段への電力の供給を停止後に、特定検出手段を制御して筆記具の位置の特定を行う。このため情報入力装置は、筆記具の位置の特定が、複数の検出手段の全てに電力が供給されている状態で実行される場合に比べ、特定検出手段の検出結果に含まれる、他の検出手段が発生させる磁界の影響が少ない。このため情報入力装置は、従来よりも筆記具の位置の検出精度を向上させることができる。
【０００８】
本態様の情報入力装置において、前記複数の検出手段の各々は、前記筆記具に対して入力信号を出力し、前記入力信号に応じて前記筆記具が出力する前記出力信号を検出してもよい。検出手段が出力した入力信号に応じて、筆記具が出力信号を出力するタイプの入力装置では、特定検出手段以外の検出手段が出力する入力信号を、特定検出手段が受信してしまい、筆記具の位置が正確に特定できない可能性がある。これに対し、本態様の情報入力装置では、筆記具の位置を特定する場合には、非特定検出手段への電力の供給が停止されており、非特定検出手段から入力信号が出力されない。このため情報入力装置は、非特定検出手段が入力信号を出力することに起因して、筆記具の位置の検出精度が低下することを確実に回避することができる。
【０００９】
本態様の情報入力装置において、前記第一検出制御手段は、前記出力信号を検出する処理を、前記複数の検出手段との各々で同時期に実行させてもよい。この場合の情報入力装置は、出力信号を検出する処理を、複数の検出手段との各々で別々の時期に実行させる場合に比べ、特定検出手段を特定する処理に要する時間を、短くすることができる。
【００１０】
本態様の情報入力装置において、前記複数の検出手段の各々を個別に収容する複数の筐体をさらに備えてもよい。この場合の情報入力装置は、筐体に収容された検出手段毎に電力の供給を停止させることができる。
【図面の簡単な説明】
【００１１】
【図１】情報入力装置２の斜視図である。
【図２】情報入力装置２の電気的構成を示すブロック図である。
【図３】メイン処理のフローチャートである。
【発明を実施するための形態】
【００１２】
以下、本発明の実施形態について、図面を参照して説明する。参照する図面は、本発明が採用し得る技術的特徴を説明するために用いられるものである。図面に記載されている装置の構成、各種処理のフローチャート等は、それのみに限定する趣旨ではなく、単なる説明例である。
【００１３】
図１を参照して、本実施形態に係る情報入力装置２の概要を説明する。以下の説明では、図１の左上側、右下側、上側、下側、右上側、及び左下側を、各々、情報入力装置２の左側、右側、上側、下側、後側、及び前側と定義して説明する。
【００１４】
情報入力装置２は、ユーザが電子ペン３を用いて、情報入力装置２に装着された紙媒体１００に情報を記入した際に、電子ペン３の位置を経時的に検出し電子化する、薄型軽量の手書き入力装置である。図１に示すように、情報入力装置２は、筐体８Ｌ，８Ｒを備える。筐体８Ｌ，８Ｒは、各々、樹脂製の矩形薄板状であり、図１に示すように左右方向に見開いた状態と、筐体８Ｌ，８Ｒを折り畳んだ状態（図示外）とに配置を変更可能である。筐体８Ｌは、図２を参照して後述する第一センサ７１，センサ制御基板２８，及びメイン基板２０を収容する。筐体８Ｌは、図２を参照して後述する第二センサ７２及びセンサ制御基板２９を収容する。
【００１５】
電子ペン３は、公知の電磁誘導式の電子ペンであり、筒体３０，芯体３１，コイル３２，可変容量コンデンサ３３，基板３４，コンデンサ３５，及びインク収納部３６を備える。筒体３０は、円柱状の形状を有し、芯体３１の一部、コイル３２，可変容量コンデンサ３３，基板３４，コンデンサ３５，及びインク収容部３６を内部に収容する。芯体３１は、電子ペン３の先端部に設けられている。芯体３１は図示外の弾性部材によって、電子ペン３の先端側に付勢されている。芯体３１の先端部は、筒体３０の外に突出している。芯体３１の後端側は、インクが収納されているインク収納部３６に接続されている。インク収納部３６は、芯体３１にインクを供給する。ユーザが電子ペン３を用いて筆記すると、筆記されたキャラクタ（文字、数値、及び図形等）がインクで形成される。
【００１６】
コイル３２は、インク収納部３６の周囲に巻回された状態で、芯体３１と可変容量コンデンサ３３との間に保持されている。可変容量コンデンサ３３は、基板３４によって電子ペン３の内部に固定されている。基板３４には、コンデンサ３５が搭載されている。コンデンサ３５及び可変容量コンデンサ３３は、コイル３２に並列に接続され、周知の共振（同調）回路を構成する。
【００１７】
紙媒体１００は、表表紙１１０Ｌと裏表紙１１０Ｒとの間に複数の用紙１２０が綴じられた、左右方向に見開き可能な冊子状である。つまり、紙媒体１００では、一対の表紙（表表紙１１０Ｌ及び裏表紙１１０Ｒ）と複数の用紙１２０とが、各々の縁部の一部で綴じられている。紙媒体１００は、表表紙１１０Ｌが筐体８Ｌの上面に載置され、且つ、裏表紙１１０Ｒが筐体８Ｒの上面に載置されるように、情報入力装置２上に装着される。紙媒体１００が情報入力装置２に装着された状態で、ユーザは電子ペン３を用いて用紙１２０に情報を記入できる。用紙１２０に対向する第一センサ７１及び第二センサ７２のいずれかによって、用紙１２０に情報を記入する電子ペン３の位置情報が検出される。
【００１８】
図２を参照して、情報入力装置２の電気的構成を説明する。情報入力装置２は、メイン基板２０，第一センサ７１，第二センサ７２，及びセンサ制御基板２８，２９を主に備える。
【００１９】
メイン基板２０は、ＣＰＵ２１，フラッシュＲＯＭ２２，ＲＡＭ２３，及び無線通信部２４を備えている。フラッシュＲＯＭ２２及び無線通信部２４は、ＣＰＵ２１に電気的に接続されている。ＣＰＵ２１は、情報入力装置２の制御を行う。フラッシュＲＯＭ２２には、ＣＰＵ２１が情報入力装置２を制御するために実行する各種プログラムが記憶されている。さらに、フラッシュＲＯＭ２２には、用紙１２０に情報を記入する電子ペン３の軌跡を示すストロークデータが記憶される。ストロークデータは、第一センサ７１及び第二センサ７２によって経時的に検出された電子ペン３の複数の位置情報（例えば、座標情報）によって、用紙１２０に情報を記入する電子ペン３の軌跡を特定する。ＲＡＭ２３は、演算データ等の各種データを一時的に記憶する。無線通信部２４は、外部の電子機器と近距離無線通信を実行するためのコントローラである。
【００２０】
第一センサ７１及び第二センサ７２は、Ｘ軸方向（左右方向）及びＹ軸方向（上下方向）の各々に、所定の間隔で列設された複数の細長いループコイルを備える。第一センサ７１は、センサ制御基板２８のＡＳＩＣ２８１に電気的に接続されている。ＡＳＩＣ２８１は、第一センサ７１を制御して、後述するスキャンを実行させる。図示しないが、ＡＳＩＣ２８１は、電力切替回路、増幅回路、及び整流回路を含む。電力切替回路は、第一センサ７１への電力の供給をオン又はオフにする。増幅回路は、第一センサ７１から入力される信号を増幅する。整流回路は、増幅回路から入力された信号を振幅検波した後、平滑化して直流信号に変換する。同様に、第二センサ７２は、センサ制御基板２９のＡＳＩＣ２９１に電気的に接続されている。ＡＳＩＣ２９１は、第二センサ７２を制御する。図示しないが、ＡＳＩＣ２９１は、電力切替回路、増幅回路、及び整流回路を含む。ＡＳＩＣ２８１，２９１のうち、マスター側のＡＳＩＣ２８１はＣＰＵ２１に直接接続され、スレーブ側のＡＳＩＣ２９１はＡＳＩＣ２８１を介してＣＰＵ２１に接続されている。
【００２１】
次に、第一センサ７１及び第二センサ７２が電子ペン３の位置を検出する動作（以下、この動作を単に「スキャン」ともいう。）の原理を、概略的に説明する。ＣＰＵ２１はＡＳＩＣ２８１，２９１を制御して、第一センサ７１及び第二センサ７２の各々のループコイルに、一本ずつ特定の周波数の電流（励磁用送信電流）を流す。これにより、第一センサ７１及び第二センサ７２の各々のループコイルから磁界が発生する。この状態で、例えばユーザが電子ペン３を用いて情報入力装置２に装着された紙媒体１００に情報を記入すると、電子ペン３が第一センサ７１又は第二センサ７２に近接する。そのため、電子ペン３の共振回路は電磁誘導によって共振し、誘導磁界を生じる。
【００２２】
次に、ＡＳＩＣ２８１，２９１は、各々第一センサ７１及び第二センサ７２のループコイルからの磁界の発生を停止させる。さらに、電子ペン３の共振回路から発せられる誘導磁界を、第一センサ７１及び第二センサ７２の各々のループコイルで受信する。ＣＰＵ２１は、第一センサ７１及び第二センサ７２の各々のループコイルに流れる信号電流（受信電流）を検出する。この動作を全てのループコイルについて一本ずつ実行され、電磁誘導によって発生した信号は、ＡＳＩＣ２８１，２９１によって増幅、振幅検波された後、検出結果として随時ＣＰＵ２１に入力される。ＣＰＵ２１は、入力された信号を振幅、即ち電圧値に対応したデジタル信号に変換し、デジタル信号に基づいて電子ペン３を検出したセンサを特定後、電子ペン３の位置を検出する。
【００２３】
ここで、電子ペン３が紙媒体１００に情報を記入している状態では、電子ペン３の芯体３１に筆圧が付与される。芯体３１に付与される筆圧に応じて、コイル３２のインダクタンスが変化する。これにより、電子ペン３の共振回路の共振周波数が変化する。ＣＰＵ２１はこの共振周波数の変化（位相変化）を検出して、電子ペン３に付与された筆圧を特定する。つまりＣＰＵ２１は、電子ペン３から特定した筆圧によって、紙媒体１００に情報が記入されているか否かを判断できる。ＣＰＵ２１は、紙媒体１００に情報が記入されていると判断した場合、ストロークデータを取得して、フラッシュＲＯＭ２２に保存する。
【００２４】
次に、図３を参照して、情報入力装置２のメイン処理について説明する。図３に示すメイン処理は、情報入力装置２において、電源がオンにされると開始され、フラッシュＲＯＭ２２に記憶されたプログラムに従って、ＣＰＵ２１によって実行される。また、図３に示すメイン処理は、情報入力装置２において、電源がオフにされると終了される。処理の過程で得られたデータは適宜ＲＡＭ２３に記憶される。ＣＰＵ２１は、ＡＳＩＣ２８１を介して、ＡＳＣＩ２９１に対して指令を出力する。ＡＳＩＣ２９１は、ＡＳＩＣ２８１を介してＣＰＵ２１に検出結果を出力する。
【００２５】
図３に示すように、まずＣＰＵ２１は、ＡＳＩＣ２８１，２９１の各々に指令を出力して、第一センサ７１及び第二センサ７２の各々に電力の供給を開始させる（Ｓ１）。Ｓ１の処理によって、第一センサ７１及び第二センサ７２の各々は、スキャンが可能な状態となる。スキャンは、電子ペン３から出力される出力信号を検出するための処理である。次にＣＰＵ２１は、ＡＳＩＣ２８１，２９１の各々に指令を出力して、第一センサ７１及び第二センサ７２の各々にスキャンを同時期に実行させる（Ｓ３）。Ｓ３での同時期とは、第一センサ７１においてスキャンが実行されている期間と、第二センサ７２においてスキャンが実行されている期間との少なくとも一部が重なる範囲を指す。Ｓ３では、実質的に同時と見なせる期間に第一センサ７１及び第二センサ７２の各々がスキャンを実行することが好ましい。ＡＳＩＣ２８１，２９１の各々は、検出結果をＣＰＵ２１に出力する。次にＣＰＵ２１は、第一センサ７１及び第二センサ７２のうちのいずれかが電子ペン３を検出したか否かを判断する（Ｓ５）。ＣＰＵ２１は、ＡＳＩＣ２８１，２９１のいずれかから入力される信号が一定値以上である場合に、第一センサ７１及び第二センサ７２のいずれかが電子ペン３を検出したと判断する。第一センサ７１及び第二センサ７２はいずれも電子ペン３を検出していないと判断される場合には（Ｓ５：ＮＯ）、処理はＳ１に戻る。第一センサ７１及び第二センサ７２のいずれかが電子ペン３を検出したと判断される場合（Ｓ５：ＹＥＳ）、ＣＰＵ２１は、第一センサ７１が電子ペン３を検出したか否かを判断する（Ｓ７）。ＣＰＵ２１は、特定センサが第一センサ７１である場合に、第一センサ７１が電子ペン３を検出したと判断する。特定センサは、検出結果に基づき、検出された電子ペン３の出力信号の強度が最も大きいセンサであり、ＡＳＩＣ２８１と、ＡＳＩＣ２９１とで、検出結果が示す電子ペン３の出力信号の強度を比較して決定される。第一センサ７１が電子ペン３を検出した場合（Ｓ７：ＹＥＳ）、ＣＰＵ２１は、ＡＳＩＣ２９１に指令を出力して、第二センサ７２への電力の供給を停止させる（Ｓ９）。Ｓ９の処理は、非特定センサへの電力の供給を停止させる処理である。非特定センサは、複数のセンサのうち、特定センサ以外のセンサである。ＡＳＩＣ２９１は、ＣＰＵ２１から出力された指令に基づき、電力切替回路を作動させて、第二センサ７２への電力の供給を停止する。Ｓ９の処理によって、第二センサ７２への電力の供給を停止されている期間、第二センサ７２ではスキャンが実行されない。
【００２６】
次に、ＣＰＵ２１は、ＡＳＩＣ２８１に指令を出力して、第一センサ７１にスキャンを実行させる（Ｓ１１）。第一センサ７１によるＳ３でのスキャンと、Ｓ１１でのスキャンとは、同じ処理が実行されてもよいし、異なる処理が実行されてもよい。ＡＳＩＣ２８１は、検出結果をＣＰＵ２１に出力する。次に、ＣＰＵ２１は、ＡＳＩＣ２８１から出力された検出結果に基づき、電子ペン３の座標を算出する（Ｓ１３）。前述のようにＡＳＩＣ２８から出力される検出結果は、電圧値に対応するデジタル信号に変換される。ＣＰＵ２１は、変換されたデジタル信号に基づき、Ｘ方向及びＹ方向の各々について電圧値の最大値を示す位置を算出する。電子ペン３の座標を決定する処理は、例えば、特開２０１２−１４４１１号公報等によって公知であるため、これ以上の詳しい説明は省略する。ＣＰＵ２１は、電子ペン３の筆圧と、座標とを対応づけて座標を取得した順序にフラッシュＲＯＭ２２に保存する。このように保存されるデータのうち、筆圧に基づき電子ペン３が使用されていると判断される座標情報の経時変化を表すデータが、ストロークデータとなる。次に、ＣＰＵ２１は、ＡＳＩＣ２８１に指令を出力して、第一センサ７１にスキャンを実行させる（Ｓ１５）。ＡＳＩＣ２８１は、検出結果をＣＰＵ２１に出力する。ＣＰＵ２１は、ＡＳＩＣ２８１の検出結果に基づき、第一センサ７１が電子ペン３を検出したか否かを判断する（Ｓ１７）。ＣＰＵ２１は、ＡＳＩＣ２８１から入力される信号が一定値以上である場合に、第一センサ７１が電子ペン３を検出したと判断する。第一センサ７１が電子ペン３を検出した場合（Ｓ１７：ＹＥＳ）、処理はＳ１１に戻る。第一センサ７１が電子ペン３を検出していない場合（Ｓ１７：ＮＯ）、処理はＳ１に戻る。
【００２７】
Ｓ７の処理において、第二センサ７２が電子ペン３を検出した場合（Ｓ７：ＮＯ）、ＣＰＵ２１は、ＡＳＩＣ２８１に指令を出力して、非特定センサと判断される第一センサ７１への電力の供給を停止させる（Ｓ２１）。ＡＳＩＣ２８１は、ＣＰＵ２１から出力された指令に基づき、電力切替回路を作動させて、第一センサ７１への電力の供給を停止する。Ｓ２１の処理によって、第一センサ７１への電力の供給を停止されている期間、第一センサ７１では、スキャンが実行されない。
【００２８】
次に、ＣＰＵ２１は、ＡＳＩＣ２９１に指令を出力して、第二センサ７２にスキャンを実行させる（Ｓ２３）。第二センサ７２によるＳ３でのスキャンと、Ｓ２３でのスキャンとは、同じ処理が実行されてもよいし、異なる処理が実行されてもよい。ＡＳＩＣ２９１は、検出結果をＣＰＵ２１に出力する。次に、ＣＰＵ２１は、ＡＳＩＣ２９１から出力された検出結果に基づき、電子ペン３の座標を算出する（Ｓ２５）。Ｓ２５の処理は、Ｓ１３と同様な方法で実行される。次に、ＣＰＵ２１は、ＡＳＩＣ２９１に指令を出力して、第二センサ７２にスキャンを実行させる（Ｓ２７）。ＡＳＩＣ２９１は、検出結果をＣＰＵ２１に出力する。ＣＰＵ２１は、第二センサ７２が電子ペン３の位置を検出したか否かを判断する（Ｓ２９）。ＣＰＵ２１は、ＡＳＩＣ２９１から入力される信号が一定値以上である場合に、第二センサ７２が電子ペン３を検出したと判断する。第二センサ７２が電子ペン３の位置を検出した場合（Ｓ２９：ＹＥＳ）、処理はＳ２３に戻る。第二センサ７２が電子ペン３の位置を検出していない場合（Ｓ２９：ＮＯ）、処理はＳ１に戻る。
【００２９】
上記情報入力装置２において、電子ペン３は、本発明の筆記具に相当する。第一センサ７１及び第二センサ７２は、複数の検出手段に相当する。筐体８Ｌ，８Ｒは、複数の筐体に相当する。図３のＳ３の処理を実行するＣＰＵ２１は、本発明の第一検出制御手段として機能する。Ｓ５及びＳ７の処理を実行するＣＰＵ２１は、本発明の検出手段特定手段として機能する。Ｓ９又はＳ２１の処理を実行するＣＰＵ２１は、本発明の電力制御手段として機能する。Ｓ１１又はＳ２３の処理を実行するＣＰＵ２１は、本発明の第二検出制御手段として機能する。Ｓ１３又はＳ２５の処理を実行するＣＰＵ２１は、本発明の位置特定手段として機能する。
【００３０】
情報入力装置２は、ＡＳＩＣ２８１，２９１の検出結果に基づき、電子ペン３の出力信号の強度が最も大きいセンサ（特定センサ）のみ電力を供給し、それ以外のセンサ（非特定センサ）に対する電力の供給を停止する（Ｓ９又はＳ２１）。情報入力装置２は、複数のセンサである第一センサ７１及び第二センサ７２の電源が常にオンになっている場合に比べ消費電力を低減することができる。また情報入力装置２は、非特定センサへの電力の供給を停止後に、特定センサを制御して電子ペンの位置の特定を行う（Ｓ１３又はＳ２５）。このため情報入力装置２は、電子ペン３の位置の特定が、第一センサ７１及び第二センサ７２の全てに電力が供給されている状態で実行される場合に比べ、特定センサの検出結果に含まれる、非特定センサが発生させる磁界の影響が少ない。このため情報入力装置２は、従来よりも正確に電子ペン３を特定することができる。即ち、情報入力装置２は、従来よりも電子ペン３の位置の検出精度を向上させることができる。
【００３１】
上記実施形態のように、センサが出力した入力信号に応じて、電子ペンが出力信号を出力するタイプの情報入力装置では、非特定センサが出力する入力信号を、特定センサが受信してしまい、電子ペン３の位置を正確に特定できない可能性がある。これに対し情報入力装置２では、電子ペン３の位置を特定する場合には、非特定センサへの電力の供給が停止されており、非特定センサから電子ペン３に対して入力信号が出力されない。このため情報入力装置２は、非特定センサが入力信号を出力することに起因して、特定センサにおける電子ペン３の位置の検出精度が低下することを確実に回避することができる。情報入力装置２は、電子ペン３の出力信号の強度が最も大きいセンサを特定するために、複数のセンサの各々でスキャンを実行する処理を同時に実行する。このため、情報入力装置２は、複数のセンサの各々で別々の時期に、電子ペン３の位置を示す出力信号の強度が最も大きいセンサを特定するために、複数のセンサの各々でスキャンを実行する処理が実行させる場合に比べ、特定センサを特定する処理に要する時間を短くすることができる。第一センサ７１及び第二センサ７２は各々、互いに異なる筐体８Ｌ，８Ｒに収容されている。このため情報入力装置２は、筐体毎に、スキャンを実行するセンサへの電力の供給を停止させることができる。
【００３２】
本発明の読取装置は、上記した実施形態に限定されるものではなく、本発明の要旨を逸脱しない範囲内において種々変更が加えられてもよい。例えば、以下の（Ａ）から（Ｃ）までの変形が適宜加えられてもよい。
【００３３】
（Ａ）情報入力装置２は、２つのセンサとして、第一センサ７１及び第二センサ７２を備えていたが、センサの数は３以上であってもよい。第一センサ７１及び第二センサ７２の各々は個別の筐体８Ｌ，８Ｒに収容されていたが、複数のセンサの一部又は全部は、同一の筐体に収容されていてもよい。筐体８Ｌ，８Ｒの形状、及び大きさ等は適宜変更されてよい。情報入力装置２は、第一センサ７１及び第二センサ７２の各々のループコイルから磁界を発生させ、電子ペン３の共振回路を電磁誘導によって共振させていたが、電池を内蔵するタイプの電子ペン３に対しては、電子ペン３の共振回路を電磁誘導によって共振させなくてもよい。情報入力装置２は、電子ペン３の筆圧を検出可能であったが、筆圧は検出不能であってもよいし、筆圧を考慮せずに検出結果をフラッシュＲＯＭ２２等の記憶機器に記憶させてもよい。情報入力装置２の電気的構成は適宜変更されてよい。例えば、第一センサ７１又は第二センサ７２への電力の供給を切り替える回路は、メイン基板２０上にあってもよい。
【００３４】
（Ｂ）図３のメイン処理を実行させるための指示を含むプログラムは、情報入力装置２がプログラムを実行するまでに、情報入力装置２が備える記憶装置に記憶されればよく、プログラムの取得方法、取得経路及びプログラムを記憶する機器の各々は適宜変更されてよい。したがって、情報入力装置２が備えるプロセッサが実行するプログラムは、ケーブル又は無線通信を介して、他の装置から受信し、フラッシュメモリ等の記憶装置に記憶されてもよい。他の装置は、例えば、ＰＣ，及びネットワーク網を介して接続されるサーバを含む。
【００３５】
（Ｃ）図３のメイン処理の各ステップは、ＣＰＵ２１によって実行される例に限定されず、一部又は全部が他の電子機器（例えば、ＡＳＩＣ）によって実行されてもよい。また、上記処理の各ステップは、複数の電子機器（例えば、複数のＣＰＵ）によって分散処理されてもよい。また上記実施形態の処理の各ステップは、必要に応じて順序の変更、ステップの省略、及び追加が可能である。さらに、情報入力装置２が備えるＣＰＵからの指示に基づき、情報入力装置２上で稼動しているオペレーティングシステム（ＯＳ）等が実際の処理の一部又は全部を行い、その処理によって上記実施形態の機能が実現される場合も本発明の範囲に含まれる。
【００３６】
メイン処理の各ステップについて、例えば以下のような変形が加えられてもよい。ＣＰＵ２１は、Ｓ３の処理において、同時期に第一センサ７１及び第二センサ７２の各々のスキャンを実行させていたが、第一センサ７１及び第二センサ７２を順にスキャンを実行させてもよい。この場合、最初にスキャンを実行した一方のセンサから得られる信号に基づき、電子ペン３が検出される場合には、他方のセンサのスキャンは省略し、他方のセンサへの電力の供給が停止されてもよい。他の例では、筆記具を検出するためのスキャンと、筆記具の位置を検出するためのスキャンとが同じである場合には、例えば、Ｓ１５の処理のスキャンの検出結果に基づき（Ｓ１７：ＹＥＳ），座標が算出されてもよい（Ｓ１３）。またＳ２７の処理のスキャンの検出結果に基づき（Ｓ２９：ＹＥＳ），座標が算出されてもよい（Ｓ２５）。
【符号の説明】
【００３７】
２    情報入力装置
８Ｌ，８Ｒ    筐体
２０    メイン基板
２１    ＣＰＵ
２２    フラッシュＲＯＭ
２３    ＲＡＭ
２８，２９    センサ制御基板
７１    第一センサ
７２    第二センサ
２８１，２９１    ＡＳＩＣ
【図１】
2014096071.tif 000003
【図２】
2014096071.tif 000004
【図３】
2014096071.tif 000005